(57)【要約】      （修正有）【課題】歌唱テンポを円滑に判定できるようにするとともに、判定結果にもとづいて歌唱に適するリストの作成が可能となるようにし、歌唱し易いカラオケ楽曲の選択が容易となるようにする。【解決手段】カラオケ楽曲の演奏データに付帯するメロディ情報と歌唱者の歌唱ピッチとを比較して歌唱者の歌唱テンポを分析する歌唱テンポ分析手段と、記録されているメロディ情報を参照し、テンポ分類に対応するカラオケ楽曲を登録する楽曲テンポ管理手段と、管理テーブルに登録されているカラオケ楽曲から選定された所定数のテンポの異なるカラオケ楽曲の一部をつなぎ合わせ、テンポ別メドレー楽曲を作成するテンポ別メドレー楽曲作成手段と、歌唱者の歌唱テンポを判定する歌唱区間別評価手段と、歌唱者が適正に歌唱できるテンポを判定する適正テンポ判定手段と、による歌唱テンポ判定システムを備えたカラオケ装置となるようにする。【選択図】図１
2008250182.tif 000002
【特許請求の範囲】
【請求項１】
歌唱者がカラオケ楽曲を歌唱する際に適したテンポを判定する歌唱テンポ判定システムを備えたカラオケ装置であって、歌唱テンポ分析手段と、楽曲テンポ管理手段と、テンポ別メドレー楽曲作成手段と、歌唱区間別評価手段と、適正テンポ判定手段とからなり、
（ア）歌唱テンポ分析手段とは、任意のカラオケ楽曲の演奏データに付帯するメロディ情報と歌唱者の歌唱ピッチとを比較して歌唱者の歌唱テンポを分析するものであり、
（イ）楽曲テンポ管理手段とは、演奏データに記録されているメロディ情報を参照し、予め設定した楽曲テンポ分類に対応するカラオケ楽曲を管理テーブルに登録するものであり、
（ウ）テンポ別メドレー楽曲作成手段とは、前記楽曲テンポ管理手段の管理テーブルに登録されているカラオケ楽曲から選定された所定数のテンポの異なるカラオケ楽曲の一部をつなぎ合わせ、テンポ別メドレー楽曲を作成するものであり、
（エ）歌唱区間別評価手段とは、前記テンポ別メドレー楽曲にもとづいて歌唱者が歌唱し、この歌唱結果を前記歌唱テンポ分析手段により判定してテンポ別メドレー楽曲毎に歌唱者の歌唱テンポを判定するものであり、
（オ）適正テンポ判定手段とは、前記テンポ別メドレー楽曲毎の歌唱テンポの分析結果にもとづいて、歌唱者が適正に歌唱できるテンポを判定するものである、
ことを特徴とするカラオケ装置。
【請求項２】
前記テンポ別メドレー楽曲作成手段は、さらに楽曲選定手段を有し、該楽曲選定手段は歌唱者が前記管理テーブルに記録されているカラオケ楽曲を選定することにより、所定数のテンポの異なるカラオケ楽曲の一部をつなぎ合わせ、テンポ別メドレー楽曲を作成することができる請求項１記載のカラオケ装置。
【発明の詳細な説明】
【技術分野】
【０００１】
本発明は、歌唱者がカラオケ楽曲を歌唱するにあたり、歌唱者の歌唱可能なる歌唱テンポを判定できるようにした歌唱テンポ判定システムを備えたカラオケ装置に関する。
【背景技術】
【０００２】
従来、カラオケ装置にてカラオケ楽曲を歌唱する場合、歌唱者はカラオケ楽曲毎に歌唱者自身の歌唱テンポに適するように、カラオケ装置本体の操作パネルやリモコンのテンポコントロールによりカラオケ楽曲の再生音のテンポを任意に設定するようにしている。このテンポコントロールによるテンポの設定は、歌唱者が歌唱を終了すると標準状態に設定が戻ってしまうため、各々のカラオケ楽曲毎に設定しなければならず、歌唱者にとって面倒な操作となっている。また、歌唱者は大凡の感覚でテンポを設定するため、自身に適した設定であるかは実際にカラオケ楽曲を歌唱してみるまで判断することができない。
【０００３】
このような対策として、特許文献１では、歌唱者の歌唱テンポに伴奏テンポをほどほどに追従させ、間奏区間では標準テンポを歌唱者に提示し、それまでの歌唱のテンポが速すぎるか遅すぎるかを自覚させ、つづく歌唱区間では正しいテンポで伴奏に合わせて歌唱するように促すようにした制御方式が開示されている。特にこの制御方式に関しては、歌声分析装置から歌声テンポのデータを取得するとともに、マイクロホンからの歌声信号を取得し、歌唱者の発声タイミングと伴奏音楽のリズムと時間的前後関係や発生開始点の周期性などに基づいて、歌声テンポを求めている。
【特許文献１】特開２００３−１６７５９３号公報
【発明の開示】
【発明が解決しようとする課題】
【０００４】
しかしながら、上記特許文献１に開示された発明は、歌唱者が歌唱する唯１曲のカラオケ楽曲に対して歌唱テンポを求めるため、評価できるテンポの範囲が限定されることになり、歌唱者が本来具えている上限から下限までのテンポの範囲を判定することができない。このように、従来のカラオケ装置における歌唱テンポの判定は付帯的な機能であるため、テンポ追従能力を歌唱者がどの程度具えているかを知ることができるものではなかった。
【０００５】
そこで本発明では、歌唱者が実際にカラオケ楽曲の歌唱を楽しむ感覚で歌唱して歌唱テンポを円滑に判定できるようにするとともに、判定結果にもとづいて歌唱に適するカラオケ楽曲または不適なカラオケ楽曲のリストの作成が可能となるようにし、歌唱し易いカラオケ楽曲の選択が容易となるようにすることを目的とする。
【課題を解決するための手段】
【０００６】
本発明は上記課題を解決するためになされたもので、本発明の請求項１記載のカラオケ装置とは歌唱テンポ判定システムを備えるもので、所定のテンポの異なるカラオケ楽曲を選定してテンポ別メドレー楽曲を作成し、歌唱者がこのテンポ別メドレー楽曲を歌唱することにより、歌唱者が本来具えるテンポ追従能力を判定できるようにしたものである。すなわち、任意のカラオケ楽曲の演奏データに付帯するメロディ情報と歌唱者の歌唱ピッチとを比較して歌唱者の歌唱テンポを分析する歌唱テンポ分析手段と、演奏データに記録されているメロディ情報を参照し、予め設定した楽曲テンポ分類に対応するカラオケ楽曲を管理テーブルに登録する楽曲テンポ管理手段と、前記楽曲テンポ管理手段の管理テーブルに登録されているカラオケ楽曲から選定された所定数のテンポの異なるカラオケ楽曲の一部をつなぎ合わせ、テンポ別メドレー楽曲を作成するテンポ別メドレー楽曲作成手段と、前記テンポ別メドレー楽曲にもとづいて歌唱者が歌唱し、この歌唱結果を前記歌唱テンポ分析手段により判定してテンポ別メドレー楽曲毎に歌唱者の歌唱テンポを判定する歌唱区間別評価手段と、前記テンポ別メドレー楽曲毎の歌唱テンポの分析結果にもとづいて、歌唱者が適正に歌唱できるテンポを判定する適正テンポ判定手段と、を具備してなることを特徴とする。
【０００７】
また、請求項２記載の発明とは、請求項１記載のカラオケ装置において、前記テンポ別メドレー楽曲作成手段は、さらに楽曲選定手段を有し、該楽曲選定手段は歌唱者が前記管理テーブルに記録されているカラオケ楽曲を選定することにより、所定数のテンポの異なるカラオケ楽曲の一部をつなぎ合わせ、テンポ別メドレー楽曲を作成できることを特徴とする。
【発明の効果】
【０００８】
本発明の請求項１記載のカラオケ装置によれば、カラオケ楽曲の歌唱を楽しみながら、歌唱者が本来具える上限から下限までのテンポの範囲を判定することが可能となる。すなわち、テンポ別メドレー楽曲という通常のメドレー楽曲にはない楽曲の歌唱者による歌唱が可能となるようにしたことから、カラオケ楽曲の歌唱をメドレーで楽しみながらテンポ追従能力を判定することができる。したがって、判定結果にもとづいて当該歌唱者の歌唱に適するカラオケ楽曲のリストを容易に作成することができ、カラオケ楽曲選定が容易となる。一方、歌唱に不適との判定結果にもとづくカラオケ楽曲のリストの作成も容易に可能であるので、これをエクササイズ用リストとして不得手なカラオケ楽曲に挑戦するための参考に供することができる。
【０００９】
そして、請求項２記載のカラオケ装置によれば、テンポ別メドレー楽曲を作成する際に、歌唱者自身がテンポの異なる歌唱区間を選定し、テンポ別メドレー楽曲を作成することが可能となる。すなわち、歌唱者が知っているカラオケ楽曲や好みのカラオケ楽曲を選定し、テンポ別メドレー楽曲を作成できるため、楽曲の歌唱をより楽しみながら歌唱者が本来具えるテンポ追従能力を判定することができる。
【発明を実施するための最良の形態】
【００１０】
つぎに、本発明の実施の形態を図にもとづいて詳細に説明する。図１は、本発明の実施例におけるカラオケ装置１の構成を通信カラオケシステムの演奏端末として示している。同図において、中央制御部１１は内部にＣＰＵ、ＲＡＭ、ＲＯＭを含むマイコンであり、制御／データバス５０を介してこれに接続された各構成要素と信号の授受を行い、システム全体の統括および制御を行う。
【００１１】
前記中央制御部１１は通信制御部１２を制御し、情報通信ネットワークＮを介してカラオケホスト装置１００に接続することにより、データ通信を行うことができる。カラオケホスト装置１００は演奏データはもとより、管理データ、統計データなどを蓄積したデータベースが構築されており、カラオケ演奏端末との間でデータの授受が行われる。カラオケホスト装置１００から配信された演奏データなどはハードディスク装置１３に格納され、中央制御部１１の制御にもとづいて読み出される。
【００１２】
演奏データはＭＩＤＩ（Musical Instrument Digital Interface）形式により記述されたカラオケ伴奏音楽の起源となる音楽生成データと、そのカラオケ楽曲の演奏に同期して表示する歌詞やその文字の属性（表示位置、表示色、表示／消去タイミングなど）を記述した歌詞描画データとを含んでいる。中央制御部１１はリモコン送信機１４およびリモコン受信部１５や操作パネル１６からリクエスト楽曲のＩＤ入力を操作制御部１７を介して受け取ると、その入力順とＩＤとを対応づけてＲＡＭに格納し、楽曲の演奏予約登録を行う。
【００１３】
そして、予約順に従って該当するカラオケ楽曲の演奏データなどをハードディスク装置１３から取り出し、演奏データ中のＭＩＤＩデータをシンセサイザ１８に転送すると、シンセサイザ１８はこのＭＩＤＩデータに従って内蔵音源を制御し、カラオケ伴奏音楽を生成する。シンセサイザ１８が出力するカラオケ伴奏音楽の演奏信号は、ミキシングアンプ１９でマイクロホン２０からの歌唱音声信号と混合されて出力し、スピーカシステム２１を駆動して音響出力が得られる。
【００１４】
一方、カラオケ伴奏音楽の生成処理に同期し、歌詞画像となるビットマップ画像をビデオＲＡＭ２２に展開する。映像制御部２３は、このビットマップ画像をビデオディスク装置２４から出力される背景映像にスーパーインポーズする処理を行ってディスプレイ２５に映像出力する。
【００１５】
歌唱テンポ分析部２６は本発明の要部となる要素であり、図２に具体的構成を示す。この歌唱テンポ分析部２６は専用のＤＳＰ（Digital Signal Processor）により構成されている。同図に示すように、歌唱テンポ分析部２６は、マイクロホン２０から入力した歌唱者音声信号をサンプリングするためのＡ／Ｄコンバータ２６ａと、このＡ／Ｄコンバータ２６ａが出力したサンプリングデータをリアルタイムで解析して歌唱者の歌唱ピッチを取得するための歌唱ピッチ取得部２６ｂと、取得した歌唱ピッチと演奏データに含まれるガイドメロディとを比較し、その誤差データからガイドメロディに対する歌唱ピッチの遅速を判断するピッチ比較部２６ｃを備える。
【００１６】
ここで前記演奏データは、図３に示すように楽音トラック、ガイドメロディトラック、効果トラックおよび歌詞トラックからなり、ヘッダには、楽曲番号、ジャンル、楽曲の演奏時間などが記述されている。楽曲トラックないし歌詞トラックの各トラックは、複数のイベントデータと各イベント間の時間間隔を示すデュレーションデータからなるシーケンスデータで構成されている。これら各トラックのデータは平行して読み出され、各トラック毎にデュレーションをカウントし、カウントを終了したタイミングで次ぎのイベントデータが処理される。
【００１７】
楽音トラックには、カラオケ楽曲の演奏のためのシーケンスデータが記述されており、そのイベントデータにより発音および消音が指示され、ノートナンバ（音高）、ベロシティ（強さ）、符長などが指定される。ガイドメロディトラックには、カラオケ楽曲の演奏の対象とはならないメロディのシーケンスデータが記述されており、そのイベントデータにはメロディを構成する音符に関する情報（ピッチ、符長などを示す情報）が含まれている。さらに、効果トラックには、カラオケ楽曲の楽音にエコー、リバーブなどの各種エフェクト処理を施すためのシーケンスデータが記述されており、歌詞トラックには、ディスプレイ２５に歌詞を表示するためのシーケンスデータが記述されている。
【００１８】
つぎに、歌唱テンポ分析部２６における分析処理のアルゴリズムについて説明する。カラオケ楽曲の演奏が開始され、歌唱者が歌唱を開始すると、前記演奏データのガイドメロディとともに歌唱者音声信号が歌唱テンポ分析部２６に入力する。そして、ピッチ比較部２６ｃはガイドメロディのトラックデータにより指定される基準ピッチと歌唱ピッチ取得部２６ｂにより抽出された歌唱ピッチとを比較する。
【００１９】
そして、ピッチ比較部２６ｂは上記比較結果に基づいて以下のアルゴリズムに従って歌唱速度を判定する。図４は、ガイドメロディの基準ピッチと歌唱ピッチを比較する状態を模式的に示したもので、同図において横軸は時間を示し、縦軸はピッチを示している。また、ガイドメロディを構成する音符は、その符長に対応した長さを有する水平線分のＧＭで示し、これらの水平線分ＧＭの上下の線分で囲まれる領域はガイドメロディから上下半音以内のピッチずれ範囲を示している。一方、歌唱音声は時間とともにピッチが変化する曲線ＶＯで示している。
【００２０】
図４（Ａ）に示すように、ピッチずれが上下半音以内であり、歌唱音声の歌唱ピッチ（Ｐ２）が概ねガイドメロディの基準ピッチ（Ｐ１）に沿って変化している場合、カラオケ楽曲の演奏と歌唱のタイミングが合っており歌唱テンポが正確であると判断する。また、図４（Ｂ）に示すように、基準ピッチ（Ｐ１）に対し歌唱ピッチ（Ｐ２）が＋Δｔだけ進んでいる場合、カラオケ楽曲の演奏より歌唱テンポが速いと判断する。さらに、図４（Ｃ）に示すように、基準ピッチ（Ｐ１）に対し歌唱ピッチ（Ｐ２）が−Δｔだけ遅れている場合、カラオケ楽曲の演奏より歌唱テンポが遅いと判断する。
【００２１】
つぎに、異なる複数のカラオケ楽曲の一部を抽出し、これをつなぎ合わせて歌唱テンポを判定するためのテンポ別メドレー楽曲を作成する方法について説明する。周知のようにカラオケ楽曲のテンポは各楽曲毎に区々であり、ハイテンポ、アベレージテンポ、スローテンポあるいは楽曲中にテンポの遅速がある複合テンポのように大きく分類することができ、僅か１曲のカラオケ楽曲のみで歌唱者のテンポ追従能力を判定することはできない。
【００２２】
そこで本発明では、異なるカラオケ楽曲の一部を選出し、これをつなぎ合わせ、異なるテンポのカラオケ楽曲により歌唱者のテンポ追従能力を正確に判定できるテンポ別メドレー楽曲を作成するようにした。この場合、テンポ別メドレー楽曲は各々異なるテンポであることを必要とするため、記憶されているカラオケ楽曲をテンポ毎に分類して登録する管理テーブルを設け、速やかにカラオケ楽曲の選出が可能となるようにした。
【００２３】
図５は、前記管理テーブルにおける登録状態を示すもので、カラオケ楽曲を統計処理し、ハイテンポ、アベレージテンポ、スローテンポ、複合テンポと大略的に分類する。そして、前記演奏データからガイドメロディを抽出し、当該カラオケ楽曲が前記の分類されたどのテンポに相当するかを判定する。このようにして判定された各カラオケ楽曲は、その楽曲ＩＤが各テンポの指定部分に同図に示すように登録され、例えば、末尾番号でいずれのテンポに相当するか判断できるようにする。
【００２４】
このようにしてカラオケ楽曲をテンポ毎に分類して登録し、テンポ別メドレー楽曲を作成する場合、選定したカラオケ楽曲のすべての楽章をつなぎ合わせることはなく、楽曲の一部を選出することになる。例えば、歌謡曲などのように歌唱部分が１番、２番、３番で完結するものは、通常各楽章で同じメロディが繰り返されるため、単一楽章のみのコーラスをつなぎ合わせればよい。
【００２５】
なお、複数のコーラスをつなぎ合わせて冗長となる場合は、いわゆるサビ部を抽出してつなぎ合わせ、音域別メドレー楽曲を作成することも可能である。また、テンポ別メドレー楽曲を作成するにあたっては、例えば、年齢、性別、音楽ジャンルなどを入力して特定条件を設定したり、管理テーブルのハイテンポ、アベレージテンポ、スローテンポ、複合テンポの楽曲を無限定に各１曲づつ抽出することも可能である。また、管理テーブルに登録されているハイテンポ、アベレージテンポ、スローテンポ、複合テンポのカラオケ楽曲をディスプレイ２５にリスト表示し、このリストから歌唱者が任意に選定することも可能である。なお、本実施例では、テンポ別メドレー楽曲を作成するにあたっては、特定情報を入力することとした。
【００２６】
つぎに、以上のように構成された本発明のカラオケ装置１によりテンポ別メドレー楽曲の生成および歌唱者の歌唱テンポのプログラムによる判定処理の流れを以下に説明する。図６に示すようにメドレー楽曲の選定の端緒において、前述で示したような特定条件を入力する（Ｓａ１）。この入力が終了すると（Ｓａ２）、中央制御部１１は管理テーブルから入力条件に対応するカラオケ楽曲を各テンポ（ハイテンポ、アベレージテンポ、スローテンポ、複合テンポ）から１曲だけ選出する。
【００２７】
このようにして選出されたカラオケ楽曲は中央制御部１１において配列されてつなぎ合わされ（Ｓａ４）、ＲＡＭに一時記憶されメドレー楽曲の演奏予約がなされる（Ｓａ５）。図７は、テンポ別メドレー楽曲のメドレーリストの完成状態の一例を示すもので、先頭にメドレー楽曲の演奏が開始することを知らせるメッセージに相当するイントロＩｎｔ．を配し、これにつづいて１ｓｔメドレー区間（ハイテンポ）、２ｎｄメドレー区間（アベレージテンポ）、３ｒｄメドレー区間（スローテンポ）、４ｒｈメドレー区間（複合テンポ）エンディングＥｎｄ．が配される。なお、ＩＳはイントロスタートマーク、ＩＥはイントロエンドマーク、ＣＳはメドレー区間スタートマーク、ＣＥはメドレー区間エンドマーク、ＥＳはエンディングスタートマーク、ＥＥはエンディングエンドマークを示す。
【００２８】
このようにテンポ別メドレー楽曲が作成され、歌唱者によるリモコン送信機１４の操作などによりメドレー演奏開始の指示がなされると（Ｓａ６）、イントロＩｎｔ．の演奏から順次各メドレー区間（歌唱区間）が演奏され、最終の４ｔｈメドレー区間の演奏の終了を確認すると（Ｓａ７）、エンディングＥｎｄ．を演奏してすべての演奏を終了する。なお、各メドレー区間は、前曲の音量を徐々に低下させ、次曲の音量を徐々に上昇させるクロスフェードなどの処理を施すことにより曲間の自然な繋がりが得られる。
【００２９】
以上の処理の流れは複数のカラオケ楽曲のメドレー区間をつなぎ合わせるようにしたことから、比較的長い演奏時間となるが、歌唱者の歌唱テンポの判定に精度の高い結果を期待することができる。これに対し、演奏時間を短くすることを意図する場合は、メドレー区間中の特徴的部分（サビ部）を抽出して上述したようにテンポ別メドレー楽曲を完成すればよい。図８は、メドレー区間内にサビスタートマークＳＳとサビエンドマークＳＥでサビ部ＧＭ１〜ＧＭ４が特定された第１メドレー区間〜第４メドレー区間を示すもので、このサビ部ＭＧ１〜ＭＧ４をつなぎ合わせて完成したテンポ別メドレー楽曲のメドレーリストを図９に示す。
【００３０】
つぎに、以上のようにして作成されたテンポ別メドレー楽曲を演奏し、これに合わせて歌唱する歌唱者の歌唱テンポのプログラムによる判定処理の流れを図１０にもとづいて説明する。図６におけるステップＳａ６の処理がなされ、これから演奏されるメドレー楽曲を認識（Ｓｂ１）すると、そのメドレー楽曲の楽曲ＩＤからメドレー区間の演奏データのガイドメロディを歌唱テンポ分析部２６のピッチ比較部２６ｃにセットする（Ｓｂ２）。
【００３１】
そして、メドレー区間が順次演奏され、歌唱者の歌唱ピッチが歌唱ピッチ取得部２６ｂにより取得され、ピッチ比較部２６ｃから誤差データが得られる（Ｓｂ３）。これにより、図４にもとづいて説明した処理手順によりテンポ別メドレー楽曲の各メドレー毎に歌唱者の歌唱テンポの測定が可能となる。図１１は、図７のメドレーリストにもとづいてカラオケ演奏が実行され、各メドレー区間に歌唱テンポが判定された結果を模式的を示したものである。
【００３２】
図１１（Ａ）は、短い符長の音符が連続したハイテンポのカラオケ楽曲（１ｓｔメドレー区間）における歌唱者のピッチ変化を曲線ＶＯで示したもので、歌唱できた部分においてもピッチずれが大きく、歌唱の途中で歌唱ピッチは基準ピッチから外れて歌唱が破綻した状態となっている。この結果から、１ｓｔメドレー区間およびこれに相当するテンポのカラオケ楽曲は当該歌唱者が歌唱し難いものと判断されることになる。
【００３３】
図１１（Ｂ）は、平均的なアベレージテンポのカラオケ楽曲（２ｎｄメドレー区間）における歌唱者のピッチ変化を曲線ＶＯで示したもので、ピッチずれが少なく、基準ピッチに歌唱ピッチが追従している状態を示す。図１１（Ｃ）は、歌唱速度の遅いスローテンポのカラオケ楽曲（３ｒｄメドレー区間）における歌唱者のピッチ変化を曲線ＶＯで示したもので、これもピッチずれが少なく、基準ピッチに歌唱ピッチが追従している状態を示す。この結果から、２ｎｄメドレー区間および３ｒｄメドレー区間に相当するテンポのカラオケ楽曲は当該歌唱者が歌唱し易いものと判断されることになる。
【００３４】
図１１（Ｃ）は、アベレージテンポとハイテンポが含まれる複合テンポのカラオケ楽曲（４ｔｈメドレー区間）における歌唱者のピッチ変化を曲線ＶＯで示したもので、アベレージテンポの部分ではピッチずれが少なく、基準ピッチに歌唱ピッチが追従しているが、ハイテンポの部分に至ると歌唱ピッチは基準ピッチから外れて歌唱が破綻した状態となるっている。この結果から、４ｔｈメドレー区間およびこれに相当するテンポのカラオケ楽曲は当該歌唱者が歌唱し難いものと判断されることになる。
【００３５】
このように、各メドレー区間の演奏が終了すると（Ｓｂ４）、各メドレー区間毎に歌唱者のテンポ追従能力が判定され記憶される（Ｓｂ５）。そして、すべてのメドレー区間の演奏が終了すると（Ｓｂ６）、各メドレー区間の歌唱テンポの判定結果を総合判断して２ｎｄメドレー区間と３ｒｄメドレー区間およびこれに相当するテンポのカラオケ楽曲は当該歌唱者に歌唱し易いものと判断され、１ｓｔメドレー区間と４ｔｈメドレー区間およびこれに相当するテンポのカラオケ楽曲は歌唱し難いものと判断されることになる（Ｓｂ７）。
【００３６】
以上の結果にもとづいて歌唱者がリモコン送信機１４または操作パネル１６から選曲を指定すると、年齢、性別、音楽ジャンルなどの特定条件を設定している場合、この特定条件にもとづいて前述した管理テーブルから２ｎｄメドレー区間、３ｒｄメドレー区間のテンポに相当または近似するカラオケ楽曲を予め設定した所定数だけ抽出し、これをリスト化してディスプレイ２５に表示する。そして、歌唱者は表示された楽曲リストから直ちに好ましいカラオケ楽曲を選定することができる。また、歌唱者が歌唱し難いと判断されたカラオケ楽曲のリストの作成も可能であるので、これを参考にして難曲に挑戦するなどの試みが可能となる。
【００３７】
このように歌唱テンポの測定結果にもとづき、歌唱者に適するカラオケ楽曲を直ちに提示することが可能となることから、歌唱者に適するテンポのカラオケ楽曲の選定が可能となる。また、歌唱テンポの判定はメドレー楽曲を楽しんで歌唱しながら行われるので、アミューズメント性を向上することができるなど本発明特有の効果を得ることができる。
【図面の簡単な説明】
【００３８】
【図１】本発明のカラオケ装置の構成を示すブロック図である。
【図２】歌唱テンポ分析部の具体的構成を示すブロック図である
【図３】演奏データの構成を説明する図である。
【図４】歌唱テンポを特定する方法を説明する図である。
【図５】カラオケ楽曲の登録された管理テーブルを示す図である。
【図６】メドレー楽曲の生成および演奏処理の流れを説明する図である。
【図７】メドレーリストの一例を示す図である。
【図８】メドレー区間の形成の状態を示す図である。
【図９】メドレーリストの一例を示す図である。
【図１０】歌唱テンポの判定処理の流れを示す図である。
【図１１】歌唱テンポの判定結果を模式的に示す図である。
【符号の説明】
【００３９】
１・・・・・・カラオケ装置
１１・・・・・中央制御装置
１２・・・・・通信制御部
１３・・・・・ハードディスク装置
１４・・・・・リモコン送信機
１５・・・・・リモコン受信部
１６・・・・・操作パネル
１７・・・・・操作制御部
１８・・・・・シンセサイザ
１９・・・・・ミキシングアンプ
２０・・・・・マイクロホン
２１・・・・・スピーカシステム
２２・・・・・ビデオＲＡＭ
２３・・・・・映像制御部
２４・・・・・ビデオディスク装置
２５・・・・・ディスプレイ
５０・・・・・バス
１００・・・・カラオケホスト装置
Ｎ・・・・・・情報通信ネットワーク
【図１】
2008250182.tif 000003
【図２】
2008250182.tif 000004
【図３】
2008250182.tif 000005
【図４】
2008250182.tif 000006
【図５】
2008250182.tif 000007
【図６】
2008250182.tif 000008
【図７】
2008250182.tif 000009
【図８】
2008250182.tif 000010
【図９】
2008250182.tif 000011
【図１０】
2008250182.tif 000012
【図１１】
2008250182.tif 000013